(57)【要約】      （修正有）【課題】新規な見栄えを実現し得る表示装置を提供する。【解決手段】光透過部１６と所定情報を表示する表示領域Ｒとを有する表示パネル１０と、この表示パネル１０に照明光を供給する光源３０と、表示パネル１０の視認者側に配置される前面側筐体５０とを備え、前面側筐体５０は、視認者側から表示領域Ｒを透視可能とする透光性の筐体本体部５１を有し、筐体本体部５１は、表示領域Ｒを除いた表示パネル１０の非表示領域に形成される不透過部５１ａを有し、不透過部５１ａには、光透過部１６から出射される照明光を受けて発光表示可能な表示部５１ｂが設けられている。【選択図】図２
2018159617.tif 000002
【特許請求の範囲】
【請求項１】
光透過部と所定情報を表示する表示領域とを有する表示パネルと、
前記表示パネルに照明光を供給する光源と、
前記表示パネルの視認者側に配置される前面側筐体とを備え、
前記前面側筐体は、視認者側から前記表示領域を透視可能とする透光性の筐体本体部を有し、
前記筐体本体部は、前記表示領域を除いた前記表示パネルの非表示領域に少なくとも形成される不透過部を有し、
前記不透過部には、前記光透過部から出射される前記照明光を受けて発光表示可能な表示部が設けられていることを特徴とする表示装置。
【請求項２】
前記表示部は、視認者側から前記前面側筐体を正視した際に前記光透過部と重なるように設けられていることを特徴とする請求項１記載の表示装置。
【発明の詳細な説明】
【技術分野】
【０００１】
本発明は、例えば自動車や自動２輪車等の車両に搭載される表示装置に関するものである。
【背景技術】
【０００２】
従来より、この種の表示装置にあっては、例えば下記特許文献１に記載されているものが知られている。この特許文献１に記載の表示装置は、車両に搭載された車両用計器からなり、各種情報が表示される矩形の表示領域を有する液晶表示パネル（表示パネル）と、この液晶表示パネルに照明光を供給する光源と、この光源から液晶表示パネルに至る照明経路中に配置される導光部材と、液晶表示パネルの視認者側に配置されるパネル体（前面側筐体）とを備え、パネル体は、視認者側から表示領域を透視可能とする透視部（透明樹脂部）を有している。
【０００３】
そして、透視部の裏面には、透視部を囲むように不透過部（黒色印刷層）が枠状に印刷形成されている。この不透過部は、上述した導光部材や光源等の内機部品が外部から見えないようにするための隠蔽部としての機能を有している。また、この場合、不透過部をさらに囲むような黒色樹脂部（不可視部）を設けた構成となっている。このような構成によれば、視認者は、各種情報が表示される矩形の表示領域と、当該表示領域の四方を囲む黒色の不透過部と、当該不透過部の四方をさらに囲む黒色樹脂部とを視認（透視）することができる。
【先行技術文献】
【特許文献】
【０００４】
【特許文献１】特開２０１４−１１９５７９号公報
【発明の概要】
【発明が解決しようとする課題】
【０００５】
ところで、特許文献１に記載の表示装置の場合、視認者は、各種情報が表示される矩形の表示領域と、当該表示領域の四方を囲む黒色の不透過部と、当該不透過部の四方をさらに囲む黒色樹脂部とを視認する構成であり、矩形の表示領域と、その周囲に位置する黒色の不透過部、黒色樹脂部とで構成される表示装置全体の見栄えが面白みのないものとならざるを得なかった。
そこで本発明は、前述の課題に対して対処するため、新規な見栄えを実現し得る表示装置の提供を目的とするものである。
【課題を解決するための手段】
【０００６】
本発明は、光透過部と所定情報を表示する表示領域とを有する表示パネルと、前記表示パネルに照明光を供給する光源と、前記表示パネルの視認者側に配置される前面側筐体とを備え、前記前面側筐体は、視認者側から前記表示領域を透視可能とする透光性の筐体本体部を有し、前記筐体本体部は、前記表示領域を除いた前記表示パネルの非表示領域に少なくとも形成される不透過部を有し、前記不透過部には、前記光透過部から出射される前記照明光を受けて発光表示可能な表示部が設けられていることを特徴とする。
【０００７】
また本発明は、前記表示部は、視認者側から前記前面側筐体を正視した際に前記光透過部と重なるように設けられていることを特徴とする。
【発明の効果】
【０００８】
本発明によれば、所期の目的を達成でき、新規な見栄えを実現し得る表示装置を提供できる。
【図面の簡単な説明】
【０００９】
【図１】本発明の実施形態による表示装置の正面図。
【図２】図１のＡ−Ａ断面図。
【図３】同実施形態による表示パネルの正面図。
【図４】同実施形態の変形例による表示装置の断面図。
【発明を実施するための形態】
【００１０】
以下、図１〜図３に基づいて、本発明の表示装置を自動２輪車等の車両に搭載される車両用計器に適用した場合を例に挙げて説明する。なお、以下の説明では、車両用計器を正視（視認）する視認者側を前方側（前面側）とし、当該視認者側とは反対側である反視認者側を背後側（背面側）とする。
【００１１】
図１、図２において、本実施形態による表示装置としての車両用計器Ｄは、車速情報等の各種車両情報（所定情報）を表示する表示領域Ｒを有する表示パネル１０と、この表示パネル１０の背面（背後）に沿うように配置される光拡散部材２０と、光拡散部材２０（表示パネル１０）に照明光を供給する光源３０と、光拡散部材２０（表示パネル１０）を保持するケース部材４０と、表示パネル１０の前方側に配置される前面側筐体５０と、この前面側筐体５０と表示パネル１０との間に介在する緩衝部材６０と、表示パネル１０の背後側に位置する回路基板７０と、光源３０や回路基板７０等を収容する背面側筐体８０とを備えている。
【００１２】
表示パネル１０は、一対のガラス基板間に液晶を封入した液晶セル１１の前後に前側偏光部材１２、後側偏光部材１３をそれぞれ設けた例えばＴＦＴ（薄膜トランジスタ）型の液晶表示素子（液晶表示パネル）を適用することができる。この場合、前側偏光部材１２は、液晶セル１１の前側に部分的に貼り付けられ、後側偏光部材１３は、液晶セル１１の後側に部分的に貼り付けられている。
【００１３】
具体的には、前側偏光部材１２は、図３中、表示パネル１０の上側中央部分（つまり前面側筐体５０に備えられる後述する表示部）に対応する箇所を除いた液晶セル１１の前側に貼り付けられた前側偏光板である。これにより、前側偏光部材１２は、表示パネル１０の前記上側中央部分に前側偏光部材１２の形成されない第１の偏光板抜き部１４を備えることになる。
【００１４】
また後側偏光部材１３も、前側偏光部材１２と同様に、表示パネル１０の前記上側中央部分に対応する箇所を除いた液晶セル１１の後側に貼り付けられた後側偏光板である。これにより、後側偏光部材１３は、表示パネル１０の前記上側中央部分に後側偏光部材１３の形成されない、第１の偏光板抜き部１４に対応する第２の偏光板抜き部１５を備えることになる。つまり、第１、第２の偏光板抜き部１４、１５は、両偏光部材１２、１３を部分的に切り欠くことによって形成される偏光板除去部として各々構成される。
【００１５】
そして、本実施形態では、第１、第２の偏光板抜き部１４、１５に対応する液晶セル１１部分は、光源３０から発せられる照明光を透過する光透過部１６として構成される。また、前方側から見て両偏光部材１２、１３が重なり合っている部分は、各種車両情報（所定情報）を表示する表示領域Ｒとして構成される。例えば図１では、各種車両情報の一例として車速情報１７が表示領域Ｒに表示された例を示している。
【００１６】
光拡散部材２０は、例えば光透過性のシートの表裏面に光量調整用の白色印刷層が印刷形成された光拡散シートを適用することができ、光源３０から発せられる照明光を略均一化させる機能を有し、この略均一化された照明光が表示パネル１０に導かれる構成となっている。なお、この光量調整用の白色印刷層は、必要に応じて光透過性のシートの表面または裏面のみに形成してもよい。
【００１７】
光源３０は、適宜色の光（例えば白色光）を発するチップ型発光ダイオードを適用することができ、光拡散部材２０の直下となる回路基板７０上に実装されている。なお、光源３０の個数は、表示パネル１０の形状（大きさ）に対応させて必要な個数だけ設ければよい。
【００１８】
ケース部材４０は、例えば白色の合成樹脂材料によって形成された樹脂ケースを適用することができ、光拡散部材２０（表示パネル１０）の外縁部分を保持する保持部４１を有している。この場合、保持部４１の内部に形成される内部空間は、光源３０から発せられる照明光を光拡散部材２０（表示パネル１０）に導くための照明空間部Ｓとして構成される。
【００１９】
前面側筐体５０は、透光性の合成樹脂材料によって形成された透光性の筐体本体部５１と、遮光性（例えば黒色）の合成樹脂材料によって形成された黒色樹脂部としての不可視部５２とを有している。この場合、例えば筐体本体部５１が不可視部５２にインサート成型されることで、前面側筐体５０を得ることができる。
【００２０】
筐体本体部５１は、前方側から表示領域Ｒ（車速情報１７）を透視可能とする略平板状の透視部（透光部）である。また、筐体本体部５１は、表示領域Ｒを除いた表示パネル１０の非表示領域に少なくとも形成される不透過部５１ａを有している。
【００２１】
ここでの不透過部５１ａは、前方側から前面側筐体５０を正視したときに、表示領域Ｒの四方を囲むように筐体本体部５１の後面（裏面）に印刷形成された黒色印刷層である。表示パネル１０（車両用計器Ｄ）を視認する視認者は、不透過部５１ａの形成されない筐体本体部５１箇所を通じて表示領域Ｒに表示される各種車両情報（例えば車速情報１７）を透視（視認）することができる。なお、不透過部５１ａは、筐体本体部５１の裏面ではなく前面に印刷形成してもよい。
【００２２】
また、本例の場合、不透過部５１ａには、表示パネル１０の光透過部１６から出射される照明光（照明光の一部）を受けて発光表示可能な表示部５１ｂが設けられている。表示部５１ｂは、文字やマーク、記号等の所定の表示意匠を形成する表示意匠部（文字表示部）である。
【００２３】
この表示部５１ｂは、筐体本体部５１に黒色印刷層である不透過部５１ａを印刷形成するにあたって、不透過部５１ａが部分的に形成されない抜き印刷部（抜き部）として設けられるものであり、前方側から車両用計器Ｄを正視したときに光透過部１６と重なるように設けられている。つまり、このことは、表示部５１ｂと光透過部１６との位置関係に着目したとき、不透過部５１ａの前記抜き部で形成される表示部５１ｂの直下（真下）に光透過部１６が位置していることを意味している。
【００２４】
不可視部５２は、ケース部材４０の周囲を覆う状態で、筐体本体部５１の周縁部分から背後側に向けて垂下形成されている。
【００２５】
緩衝部材６０は、スポンジ等の弾性体を適用することができ、前面側筐体５０（筐体本体部５１）に両面テープ等により貼り付けられている。この緩衝部材６０は、ケース部材４０等を圧縮保持するような状態で前面側筐体５０と表示パネル１０との間に介装されている。なお、６１は、光透過部１６（表示部５１ｂ）に対応するように緩衝部材６０に形成された貫通孔部である。
【００２６】
回路基板７０は、例えばガラスエポキシ系基材に配線パターンが施された硬質配線基板からなり、例えば表示パネル１０の表示制御や光源３０の点灯制御を行うマイクロコンピュータとしての制御部（図示せず）と、光源３０と、抵抗、コンデンサ等の回路部品とが前記配線パターンに導通接続されている。なお、回路基板７０は、フレキシブル配線板（図示せず）を用いて表示パネル１０と電気的に接続されている。
【００２７】
背面側筐体８０は、例えば合成樹脂材料によって形成された樹脂ケースであり、略箱形形状に形成される。そして、この場合、この背面側筐体８０と前面側筐体５０とで車両用計器Ｄの外装ケースを構成している。
【００２８】
以上の各部により車両用計器Ｄが構成されている。ここで、前記制御部による制御のもと、光源３０が点灯すると、光源３０から発せられる照明光は、前方側に進み、ケース部材４０の照明空間部Ｓを経て光拡散部材２０へと至る。その後、照明光は、光拡散部材２０によって略均一化された状態で表示パネル１０に向けて出射される。
【００２９】
そして、表示パネル１０（表示領域Ｒ及び光透過部１６）に向けて出射される照明光のうち、表示領域Ｒ（後側偏光部材１３）に出射される光によって車速情報１７がバックライト照明される。他方、光透過部１６に出射される光（以下、文字照明用の光）は、光透過部１６を透過した後、さらに貫通孔部６１を通過して真上（前方側）に進み、光透過部１６の真上に位置する表示部５１ｂを背後から照らす。これにより光源３０から発せられる照明光（照明光の一部）を受けて表示部５１ｂが透過照明（白色で発光表示）される構成となり、前面側筐体５０を正視すると、視認者は、筐体本体部５１の一部分にて発光表示された表示部５１ｂを視認することができる。
【００３０】
以上のように本実施形態では、前面側筐体５０は、前方側から表示領域Ｒを透視可能とする透光性の筐体本体部５１を有し、筐体本体部５１は、表示領域Ｒを除いた表示パネル１０の非表示領域に形成される不透過部５１ａを有し、不透過部５１ａには、光透過部１６から出射される照明光を受けて発光表示可能な表示部５１ｂが設けられているものである。
【００３１】
従って、前面側筐体５０の一部分に設けられる文字等の表示部５１ｂを、背後からの前記文字照明用の光を利用して（つまり光源３０から発せられる照明光の一部を利用して）発光表示させることが可能となるため、視認者側から車両用計器Ｄを正視したときの車両用計器Ｄの外観（見栄え）が一風変わった斬新さのある（面白みのある）ものとなり、新規な見栄えを実現し得る車両用計器Ｄを提供することができる。さらに、この場合、表示部５１ｂと表示領域Ｒとの双方を光源３０からの照明光で照明することが可能となり、表示部５１ｂを照明するにあたって、表示部５１ｂを照明するための専用の文字用光源が別途、不要となるため、コストアップを避けながら新規な見栄えを実現することができる。
【００３２】
また本実施形態では、表示部５１ｂは、前方側から前面側筐体５０を正視した際に光透過部１６と重なるように設けられていることにより、前記文字照明用の光が表示部５１ｂに良好に導かれ、表示部５１ｂの発光輝度が低下する虞のない車両用計器Ｄを提供することができる。
【００３３】
なお、本発明は、上述の実施形態及び図面によって限定されるものではない。本発明の要旨を変更しない範囲で、適宜、実施形態及び図面に変更（構成要素の削除も含む）を加えることが可能である。
【００３４】
例えば本実施形態の変形例として図４に示すように前記抜き印刷部に対応した箇所に暗色のスモーク層（半透過層）５１ｃを形成してもよい。このように表示部５１ｂに対応した箇所にスモーク層５１ｃが形成されることで、光源３０の消灯時において、表示部５１ｂの存在を目立ちにくくすることができるという利点がある。
【００３５】
さらに、上述した実施形態では、両偏光部材１２、１３の双方を部分的に切り欠いた液晶セル１１部分が光透過部１６となっているものであったが、例えば両偏光部材１２、１３のうち一方の偏光部材を部分的に切り欠いた液晶セル１１部分によって光透過部１６を構成してもよい。なお、このとき、前記一方の偏光部材ではない他方の偏光部材は全く切り欠かれない構成となる。また、液晶セル１１の内部に封入される液晶材の劣化を考慮すると、前側偏光部材１２は全く切り欠かずに後側偏光部材１３のみを部分的に切り欠いた液晶セル１１部分により光透過部１６を構成することが望ましい。
【符号の説明】
【００３６】
１０    表示パネル
１１    液晶セル
１２    前側偏光部材
１３    後側偏光部材
１４    第１の偏光板抜き部
１５    第２の偏光板抜き部
１６    光透過部
１７    車速情報
２０    光拡散部材
３０    光源
４０    ケース部材
５０    前面側筐体
５１    筐体本体部
５１ａ  不透過部
５１ｂ  表示部
５２    不可視部
６０    緩衝部材
７０    回路基板
８０    背面側筐体
Ｒ    表示領域
Ｓ    照明空間部
【図１】
2018159617.tif 000003
【図２】
2018159617.tif 000004
【図３】
2018159617.tif 000005
【図４】
2018159617.tif 000006